【手続補正書】
【提出日】平成16年1月27日(2004.1.27)
【手続補正１】
【補正対象書類名】明細書
【補正対象項目名】特許請求の範囲
【補正方法】変更
【補正の内容】
【特許請求の範囲】
【請求項１】
プリント済みの媒体の表面に液状のコーティング物質を塗布するプリントシート用コーティング装置であって、
上記プリント媒体の左右のエッジに沿う方向に配列された複数の噴射部を有し、高周波振動素子の振動により各噴射部から所定の方向に液滴粒子のみを噴射し、上記エッジに沿う方向に幅を有するコーティング領域を形成するオンディマンドコーティングヘッドと、
上記オンディマンドコーティングヘッドを、上記エッジとクロスする方向に上記プリント媒体上を往復動させる主コーティング走査手段と、
上記オンディマンドコーティングヘッドとプリント媒体を上記移動方向と垂直な方向に相対移動させる副コーティング走査手段と、
上記プリント媒体の主コーティング走査方向の有効画面端部位置及びプリント媒体の端部位置の少なくともいずれかを示す端部位置信号を発生する信号発生手段と、
上記端部位置信号に基づいて、上記オンディマンドコーティングヘッドからの液滴噴射及び当該オンディマンドコーティングヘッドの往復動の少なくともいずれかを制御するコーティング制御手段と、を具備することを特徴とするプリントシート用コーティング装置。
【請求項２】
上記コーティング制御手段は、上記オンディマンドコーティングヘッドを端部信号アドレス位置を越えた位置まで往復動させ、端部信号アドレス位置の内側で液滴を噴射し、外側で液滴の噴射を停止させることを特徴とする請求項１記載のプリントシート用コーティング装置。
【請求項３】
一回の主コーティング走査サイクルに対応する副コーティング走査送り量をｓとし、コーティングヘッドの副コーティング走査方向のコーティング幅をＳとすると、ｓ＜Ｓとなる様に上記オンディマンドコーティングヘッドのコーティング幅と副コーティング送り幅が設定され、少なくともコーティング走査の境界部分が重複コートされる事を特徴とする請求項１記載のプリントシート用コーティング装置。
【請求項４】
上記オンディマンドコーティングヘッドのコーティング幅と副コーティング送り幅が２ｓ≦Ｓとなる様に設定されることを特徴とする請求項３記載のプリントシート用コーティング装置。
【請求項５】
異なったコーティング液が適用される複数のオンディマンドコーティングヘッドを更に具備することを特徴とする請求項１記載のプリントシート用コーティング装置。
【請求項６】
一種類のコーティング液を受け入れるオンディマンドコーティングヘッドと、異なったコーティング液を収容する複数のコーティング液容器と、複数の容器と同一のオンディマンドコーティングヘッドを接続する配管と、
上記配管経路に設けた流路切り替え手段とを更に具備することを特徴とする請求項１記載のプリントシート用コーティング装置。
【請求項７】
上記オンディマンドコーティングヘッドとプリントシート側の対向位置に廃液受けを更に設け、上記コーティング制御手段が、当該オンディマンドコーティングヘッドが廃液受けに対向する位置でコーティング液を連続噴射させるよう制御することを特徴とする請求項６記載のプリントシート用コーティング装置。
【請求項８】
プリント部から排出されるプリント済みの媒体の表面にコーティング液を塗布するプリンタ組み込み型のコーティング装置であって、
上記プリント媒体の排出方向に沿って配列された複数の噴射部を有し、高周波振動素子の振動により各噴射部から方向を限定して液滴粒子のみを噴射し、上記プリント媒体のエッジに沿う方向に幅を有するコーティング領域を形成するオンディマンドコーティングヘッドと、
上記オンディマンドコーティングヘッドを上記エッジとクロスする方向に、プリント媒体を横断して往復動させる主コーティング走査手段と、
上記プリント媒体の主コーティング走査方向の有効画面端部位置及びプリント媒体の端部位置の少なくともいずれかを示す端部位置信号を発生する信号発生手段と、
上記端部位置信号に基づいて、オンディマンドコーティングヘッドからの液滴噴射及びオンディマンドコーティングヘッドの往復動を制御するコーティング制御手段と、を具備することを特徴とするプリントシート用コーティング装置。
【請求項９】
上記コーティング制御手段は、オンディマンドコーティングヘッドを端部信号アドレス位置を越えた位置迄往復動させ、端部信号アドレス位置の内側で液滴を噴射し、外側で液滴の噴射を停止させるよう制御することを特徴とする請求項８記載のプリントシート用コーティング装置。
【請求項１０】
一回の主コーティング走査サイクルに対応するプリント媒体の送り出し量をｓとし、オンディマンドコーティングヘッドのコーティング幅をＳとすると、ｓ＜Ｓとなる様にオンディマンドコーティングヘッドのコート幅とプリント媒体送り出し量が設定され、少なくともコーティング走査の境界部が重複コートされることを特徴とする請求項１０記載のプリントシート用コーティング装置。
【請求項１１】
オンディマンドコーティングヘッドのコート幅とプリント媒体送り出し量が２ｓ≦Ｓとなる様に設定されていることを特徴とする請求項１０記載のプリントシート用コーティング装置。
【請求項１２】
上記プリント媒体の排出送り出し量を示す信号を送出する手段を更に具備し、上記コーティング制御手段が、上記プリント媒体送出し量信号に基づいてオンディマンドコーティングヘッドの往復動及び又は液滴噴射のＯＮ／ＯＦＦ及び又は液滴噴射レートを制御することを特徴とする請求項８記載のプリントシート用コーティング装置。
【請求項１３】
上記プリンタがプリントヘッドを往復動走査させて主走査を行い、プリント媒体をステップ的に搬送して副走査を行う様構成され、オンディマンドプリントヘッドの移動走査台にオンディマンドコーティングヘッドが一体的に保持されていることを特徴とする請求項８記載のプリントシート用コーティング装置。
【請求項１４】
上記オンディマンドプリントヘッドがインジェットプリントヘッドであり、プリンタ本体に固定のインク容器とインク容器からプリントヘッドへのフレキシブル配管チューブと、プリントヘッドの往復動に追従して移動し配線配管チューブを保護及びガイドするケーブルガイドを有し、プリンタ本体に固定のコーティング液容器と、容器とオンディマンドコーティングヘッドを結ぶフレキシブルな配管チューブが上記ケーブルガイド内に収容されていることを特徴とする請求項１３記載のプリントシート用コーティング装置。
【請求項１５】
上記コーティングヘッドを支持し主コーティング走査方向に移動する支持台上に、異なったコーティング液が適用される複数のコーティングヘッドを更に設けたことを特徴とする請求項８記載のプリントシート用コーティング装置。
【請求項１６】
一種類のコーティングを受け入れるコーティングヘッド及び移動走査手段と異なったコーティング液を収容しプリンタ本体に保持されている複数のコーティング液容器と、これら容器と同一のコーティングヘッドを接続する配管チューブと、上記配管経路に設けた流路切り替え手段を更に設けたことを特徴とする請求項８記載のプリントシート用コーティング装置。
【請求項１７】
上記コーティングヘッドのホームポジションのプリントシート側の対向位置に設けた廃液受けと、コーティングヘッドが廃液受けと対向する位置で、コーティング液を連続噴射させる制御手段を更に設けたことを特徴とする請求項１６記載のプリントシート用コーティング装置。
【請求項１８】
プリント媒体の表面に液状のコーティング物質を塗布する為のプリントシート用コーティング装置であって、
上記プリント媒体の搬送方向と垂直な方向に、プリント媒体の最大幅に対応する様に設けられたページワイドコーティングヘッドユニットで、複数の噴射部を有し、高周波振動素子の振動により各噴射部から方向を限定して液体粒子のみを噴射し、媒体の搬送方向と垂直な方向に長い帯状のコーティング領域を形成するオンディマンドコーティングヘッドを、複数のセクションに分割する形状で媒体を幅方向に横断するように設け、当該セクション毎に制御可能な構成としたコーティングヘッドユニットと、
上記プリント媒体の上記配列方向の端部位置を示す端部位置信号を発生する信号発生手段と、
上記端部位置信号とプリント媒体の搬送を示す信号に基づいて上記ページワイドコーティングユニットのオンディマンドコーティングヘッドをセクション単位で制御するコーティング制御手段と、を具備することを特徴とするプリントシート用コーティング装置。
【請求項１９】
上記コーティングヘッドユニットの各セグメントの境界部分がオーバーラップするようにセグメントを配列したことを特徴とする請求項１８記載のプリントシート用コーティング装置。
【請求項２０】
異なったコーティング液が適用される複数組みのコーティングヘッドユニットを更に具備することを特徴とする請求項１８記載のプリントシート用コーティング装置。
【請求項２１】
一組のコーティングヘッドユニットと、異なったコーティング液を収容する複数のコーティング液容器と、複数の容器と一組のコーティングヘッドユニットを接続する配管と、上記配管経路に設けた流路切り替え手段とを更に具備することを特徴とする請求項１８記載のプリントシート用コーティング装置。
【請求項２２】
上記コーティングヘッドユニットのプリントシート側の対向位置に設けた廃液受けと、コーティングヘッドユニットからプリント媒体の送りと無関係にコーティング液を連続噴射させる制御手段とを更に設けたことを特徴とする請求項２１記載のプリントシート用コーティング装置。